(57)【要約】  【課題】利用者が録音データを作成し、その録音データを所定の可搬型記録媒体へ書き込む場合、利用者に対して効率良く自動的に利用者好みのアーティストの関連画像を提示できると共に、利用者が所望する関連画像を容易に選択して可搬型記録媒体に付与できるカラオケ録音システムの提供。  【解決手段】利用者が書込指定したカラオケ楽曲が属するアーティストＩＤにおいて、所定割合以上のアーティストＩＤがある場合、アーティストの関連画像を表示ラベル用に蓄積したデータベースから、当該アーティストＩＤに紐付けされたアーティストの関連画像を抽出して提示し、その中から利用者が選択したものを表示ラベルとして可搬型記録媒体に付与する。【選択図】図２
2005242061.tif 000002
【特許請求の範囲】
【請求項１】
カラオケ演奏装置によるカラオケ伴奏音楽と歌唱音声の音響信号を混合して録音データを作成し、その録音データを所定の可搬型記録媒体へ書き込むためのカラオケ録音システムにおいて、
利用者が歌唱したカラオケ楽曲の録音データを、当該カラオケ楽曲が属するアーティストＩＤと紐付けして記録するための録音データ記録手段と、当該記録された録音データから利用者が書込指定したカラオケ楽曲の録音データを所定の可搬型記録媒体に書き込むための録音データ書込手段と、利用者に選択された表示ラベルを当該可搬型記録媒体へ付与させるための付与指令を発するラベル付与指令手段と、当該付与指令に基づき、前記可搬型記録媒体に表示ラベルを付与する表示ラベル付与手段と、アーティストＩＤ毎に紐付けされたアーティストの関連画像を表示ラベル用に蓄積したデータベースとを備えてなり、
前記ラベル付与指令手段は、前記利用者が書込指定したカラオケ楽曲が属するアーティストＩＤにおいて、所定割合以上のアーティストＩＤがある場合、前記データベースから当該アーティストＩＤに紐付けされたアーティストの関連画像を抽出して提示し、その中から利用者が選択したものを表示ラベルとして付与指令を発することを特徴とするカラオケ録音システム。
【請求項２】
前記ラベル付与指令手段は、前記利用者が書込指定したカラオケ楽曲が属するアーティストＩＤが全て同一である場合、前記データベースから当該アーティストＩＤに紐付けされたアーティストの関連画像を抽出して提示し、その中から利用者が選択したものを表示ラベルとして付与指令を発することを特徴とする請求項１記載のカラオケ録音システム。
【発明の詳細な説明】
【技術分野】
【０００１】
本発明は、カラオケ演奏装置によるカラオケ伴奏音楽と歌唱音声の音響信号を混合して録音データを作成し、その録音データを所定の可搬型記録媒体へ書き込むためのカラオケ録音システムに関する。
【背景技術】
【０００２】
最近、カラオケ店舗などでは、オプショナルサービスとして、カラオケ演奏装置から音響出力されるカラオケ伴奏音楽と、その音楽に合わせて歌う利用者の歌唱音声とを混合して録音し、ＣＤ−ＲやＤＶＤなどの適宜な可搬型録音媒体に書き込み（録音）できる録音サービスを提供しているところがある。このようなカラオケ録音サービスを行うためには可搬型記録媒体用の録音装置が必要であり、具体的には、ＣＤ−ＲレコーダやＤＶＤレコーダであり、カラオケ演奏装置とは別体で構成したり、最近では、カラオケ演奏装置内にレコーダが組み込まれているものもある。書き込みの手順としては、カラオケ伴奏音楽と歌唱音声の音響信号を混合して録音データを形成し、所定の記録部に記録した後、例えば、ＣＤ−Ｒレコーダを利用して記録された録音データをＣＤ−ＤＡ規格のＰＣＭデータ形式となるように変換してＣＤ−Ｒに書き込むものである。
【０００３】
従来、このような録音サービスに関連した様々な技術が想到された。例えば、特許文献１では、アルバム毎に割り当てた適宜な可搬型記録媒体に、録音する楽曲を自在に選択できるカラオケ録音装置が開示されている。また、特許文献２では、カラオケ伴奏音楽のみを録音した場合、作成された録音済みＣＤ−Ｒはそのままカラオケ用途に再使用できるため、著作権法上違法となるという問題に対応し、著作権を考慮して伴奏音楽のみが不正に録音されることを防止できるカラオケ録音装置が開示されている。
【０００４】
ところで、利用者が書込指定したカラオケ楽曲の録音データをＣＤ−ＲやＤＶＤなどの可搬型記録媒体に書き込んで作成した場合、通常、その可搬型記録媒体表面には表示ラベルが付与される。なお、本発明における「付与」とは、接着剤を介して表示ラベルを貼付することは勿論、可搬型記録媒体の表面に直接プリントすることも含まれる。そして、この表示ラベルの内容とは、例えば、風景写真や人物写真あるいはイラストやレタリング文字などであり、これらは利用者に提示され、利用者が気に入って書込指定されたものが付与される。そこで、このような表示ラベルに関する技術も想到された。例えば、特許文献３では、作成されたＣＤ−Ｒ表面に、利用者がカラオケで歌っている姿を撮影したカメラ映像の一部である静止画像や、企業等の広告映像、広告用文言などが印字されたラベルを貼付できるようにした技術が開示されている。
【特許文献１】特開２００２−２８７７７７号公報
【特許文献２】特開２００３−１６７５９２号公報
【特許文献３】特開２００３−１７７７６４号公報
【発明の開示】
【発明が解決しようとする課題】
【０００５】
一般的に、利用者には、好みのアーティストのカラオケ楽曲を歌唱する機会が多く、当然、録音サービスを受ける場合にも、好みのアーティストのカラオケ楽曲を録音する場合が多くなる。すると、利用者は作成した可搬型記録媒体に、アーティストの写真やイラスト、あるいはＣＤやＣＤアルバムのジャケット図柄やプロモーションビデオ映像の切り出し画像など、アーティストの関連画像を表示ラベルとして付与したいとの要望が強いのが現状である。しかしながら、従来では、アーティストの関連画像を蓄積したデータベースなどはなく、また、例え、このようなアーティストの関連画像のデータベースを構築しても、これだけでは効率的にアーティストの関連画像の表示ラベルを可搬型記録媒体に付与することはできない。
【０００６】
そこで、本発明は、上記要望に応えるために想到されたもので、すなわち、利用者が録音データを作成し、その録音データを所定の可搬型記録媒体へ書き込む場合、利用者に対して効率良く自動的に利用者好みのアーティストの関連画像を提示できると共に、利用者が所望する関連画像を容易に選択して可搬型記録媒体に付与できるカラオケ録音システムの提供を課題とする。
【課題を解決するための手段】
【０００７】
上記課題を鑑み、本発明者は、利用者が書込指定したカラオケ楽曲が属するアーティストＩＤにおいて、所定割合以上のアーティストＩＤがある場合、アーティストの関連画像を表示ラベル用に蓄積したデータベースから、当該アーティストＩＤに紐付けされたアーティストの関連画像を抽出して提示し、その中から利用者が選択したものを表示ラベルとして可搬型記録媒体に付与することで、上記課題を解決できることを見出し、本発明のカラオケ録音システムを想到した。
【０００８】
すなわち、本発明の請求項１記載のカラオケ録音システムは、カラオケ演奏装置によるカラオケ伴奏音楽と歌唱音声の音響信号を混合して録音データを作成し、その録音データを所定の可搬型記録媒体へ書き込むためのカラオケ録音システムにおいて、
利用者が歌唱したカラオケ楽曲の録音データを、当該カラオケ楽曲が属するアーティストＩＤと紐付けして記録するための録音データ記録手段と、当該記録された録音データから利用者が書込指定したカラオケ楽曲の録音データを所定の可搬型記録媒体に書き込むための録音データ書込手段と、利用者に選択された表示ラベルを当該可搬型記録媒体へ付与させるための付与指令を発するラベル付与指令手段と、当該付与指令に基づき、前記可搬型記録媒体に表示ラベルを付与する表示ラベル付与手段と、アーティストＩＤ毎に紐付けされたアーティストの関連画像を表示ラベル用に蓄積したデータベースとを備えてなり、
前記ラベル付与指令手段は、前記利用者が書込指定したカラオケ楽曲が属するアーティストＩＤにおいて、所定割合以上のアーティストＩＤがある場合、前記データベースから当該アーティストＩＤに紐付けされたアーティストの関連画像を抽出して提示し、その中から利用者が選択したものを表示ラベルとして付与指令を発することを特徴とする。
【０００９】
また、本発明の請求項２記載のカラオケ録音システムは、請求項１記載のカラオケ録音システムにおいて、前記ラベル付与指令手段は、前記利用者が書込指定したカラオケ楽曲が属するアーティストＩＤが全て同一である場合、前記データベースから当該アーティストＩＤに紐付けされたアーティストの関連画像を抽出して提示し、その中から利用者が選択したものを表示ラベルとして付与指令を発することを特徴とする。
【発明の効果】
【００１０】
本発明の請求項１記載のカラオケ録音システムによれば、利用者が書込指定したカラオケ楽曲に、ある程度高い割合で特定のアーティストのものが含まれている場合、その特定のアーティストが利用者好みのアーティストであると推量できるため、この推量に基づいてアーティストの関連画像を自動提示することで、利用者による当該アーティストを抽出するためのデータベース検索の手間を省くと共に、利用者が所望する関連画像を容易に選択して可搬型記録媒体に付与できるなどといった効果を奏する。
【００１１】
さらに、本発明の請求項２記載のカラオケ録音システムによれば、請求項１記載のカラオケ録音システムにおいて、利用者が書込指定したカラオケ楽曲が全て同一のアーティストのものである場合、その特定のアーティストが利用者好みのアーティストであると断定できるため、より確実に利用者好みのアーティストの関連画像を提示でき、また、当該アーティスト専用の可搬型記録媒体が作成できるなどといった効果を奏する。
【発明を実施するための最良の形態】
【００１２】
以下、本発明のカラオケ録音システムについて、最適な実施例を挙げ、本発明を詳述する。
【実施例１】
【００１３】
図１は、本発明の一実施例におけるカラオケ録音システムのブロック構成図である。本実施例のカラオケ録音システム（１）は、主にカラオケ演奏装置から構成されており、このカラオケ演奏装置は、全体の動作を制御する中央制御手段（９）と、これに接続された各種機能手段およびカラオケ伴奏音楽を演奏するための演奏データ（２１）やディスプレイ装置（３）に背景映像を表示するための映像データ（２２）が記録されているハードディスク（ＨＤＤ：１０）などの記録手段にて主に構成されている。中央制御手段（９）には、ハードディスク（１０）の他、ＲＡＭ（１１）、音源（シンセサイザ：５）、ミキサ（エフェクタ：６）、ボーカルアダプタ（１３）、ＭＰＥＧデコーダ（１４）、合成回路（１５）、ＣＤ−Ｒレコーダ（録音データ書込手段：２）、インクジェットプリンタ（表示ラベル付与手段：２８）などが接続されている。
【００１４】
ここで、各構成要素について少し説明する。先ず、中央制御手段（９）は、リモコン装置（図示省略）にて楽曲のＩＤコードが入力されると、これを操作入力処理手段（１９）が検出し、カラオケ楽曲のリクエストであるとしてシーケンサ（１８）に伝達する。このシーケンサ（１８）は、主に楽曲シーケンサ、歌詞シーケンサおよび文字パターン作成手段からなり、楽曲のＩＤコードで識別される演奏データを、ハードディスク（１０）の演奏データ（２１）から読み出す。次に、音源（５）は中央制御手段（９）が実行するシーケンサ（１８）の処理によって入力された楽曲ＩＤに対応した演奏データに応じて音響信号を形成する。形成された音響信号はミキサ（６）に入力され、このミキサ（６）は音源（５）が発生した音響信号とＡ／Ｄコンバータ（１２）を介して入力されたマイク（４）からの利用者の歌唱音声信号を適当なバランスでミキシングする。そして、ミキシングされたデジタル音声信号はサウンドシステム（ＳＳ：７）に入力される。このサウンドシステム（７）はＤ／Ａコンバータおよびパワーアンプを備えており、入力されたデジタル信号をアナログ信号に変換して増幅し、スピーカ（８）からカラオケ伴奏音楽と歌唱音声を放音する。
【００１５】
ハードディスク（１０）に記録されている映像データ（２２）は、ＭＰＥＧ２形式にエンコードされており、中央制御手段（９）が実行する背景映像再生手段（図示省略）によって再生処理を行い、これを読み出してＭＰＥＧデコーダ（１４）に入力する。このＭＰＥＧデコーダ（１４）は、入力されたＭＰＥＧデータをＮＴＳＣの映像信号に変換して合成回路（１５）に入力し、この合成回路（１５）は背景映像の映像信号上に歌詞テロップや採点表示などのＯＳＤを合成し、合成された映像信号はディスプレイ装置（３）に表示される。
【００１６】
さらに、このハードディスク（１０）には、演奏データ（２１）や映像データ（２２）と共に、アーティスト関連画像データベース（２３）が付帯されており、このアーティスト関連画像データベース（２３）は、図３に示す、アーティスト関連画像管理テーブル（Ｔ）に基づいて構成されている。このアーティスト関連画像管理テーブル（Ｔ）は、アーティストのＩＤ番号（本実施例では楽曲ＩＤの最初の４桁と同じ）フィールド（ｆ１）、アーティスト名フィールド（ｆ２）、アーティスト関連画像フィールド（ｆ３）などから主に構成されている。そして、アーティスト関連画像フィールド（ｆ３）には、アーティストの写真やイラスト、あるいはＣＤやＣＤアルバムのジャケット図柄やプロモーションビデオ映像の切り出し画像などアーティストに関連する画像を、ＪＰＥＧ形式やビットマップ形式などの画像形式にて蓄積しており、本実施例では、アーティスト毎にカラム「Ａ」から「Ｅ」までの５種類（Image１〜Image５）以内の関連画像がそれぞれ蓄積されている。
【００１７】
音響入力インタフェイス（１７）は、カラオケ伴奏音楽（演奏データ）と歌唱音声の音響信号を取得して入力し、録音データ記録手段（１６）は、これら入力された音響信号を混合した後、ＰＣＭデータ変換して録音データとし、これをＲＡＭ（１１）の録音データ記録部（２５）に記録する。さらに、この録音データ記録手段（１６）は、各録音データに対応した楽曲ＩＤを楽曲ＩＤデータ記録部（２４）に記録すると共に、アーティストＩＤデータもアーティストＩＤデータ記録部（２３）に記録する。各録音データは、そのカラオケ楽曲が属するアーティストＩＤと紐付けされている。なお、本実施例の場合、楽曲ＩＤは６桁の数字からなり、その最初の４桁がアーティストＩＤとされているため、このような場合には、必ずしも楽曲ＩＤデータとアーティストＩＤデータとを区別して記録しなくても構わない。そして、中央制御手段（９）は、利用者の書込指定を受けたカラオケ楽曲の録音データについて、書き込みインタフェイス（２０）を介してＣＤ−Ｒレコーダ（録音データ書込手段：２）に対し、当該録音データをＣＤ−Ｒ（可搬型記録媒体）に書き込むように制御する。
【００１８】
ラベル付与指令手段（２７）は、利用者が書込指定したカラオケ楽曲が属するアーティストＩＤにおいて、所定割合以上のアーティストＩＤがある場合、アーティスト関連画像データベース（２３）から当該アーティストＩＤに紐付けされたアーティストの関連画像を抽出してディスプレイ装置（３）やリモコン装置のモニタ（図示省略）に提示し、その中から利用者が選択したものを表示ラベルとして、インクジェットプリンタ（表示ラベル付与手段：２８）に対して付与指令を発する。付与指令を受けたインクジェットプリンタ（２８）は、当該付与指令に基づき、ＣＤ−Ｒに選択された表示ラベルをプリントする。
【００１９】
以下、図２に示す、アーティスト関連画像の表示ラベルの選択までの概念的フロー図に基づき、本発明についてさらに詳述する。
【００２０】
図２の（ア）は、録音データ書込手段が、カラオケ楽曲の録音データから利用者が書込指定した録音データをＣＤ−Ｒに書き込む際に、利用者に対して録音データを書込指定させるための表示画面である。この表示画面には、各録音データの録音順の番号表示（ｄ１）、各録音データに対応した曲名表示（ｄ２）、アーティストＩＤ情報を含んだ楽曲ＩＤ表示（ｄ３）、書き込みフラグ表示（ｄ４）などが設定されている。書き込みフラグ表示（ｄ４）には、操作入力処理手段をもって利用者が指定した録音データには書き込みフラグが立ち、利用者はこれを確認した後、確定ボタン（図示省略）を押圧すると、書込指定したカラオケ楽曲の録音データが順次ＣＤ−Ｒに書き込まれる。
【００２１】
次に、（イ）では、ラベル付与指令手段が、利用者に選択された表示ラベルをＣＤ−Ｒへ付与させるための付与指令を発する際の、アーティスト関連情報データベースを適応するか否かを判断する時の判断基準について記載する。ラベル付与指令手段は、利用者が書込指定したカラオケ楽曲が属するアーティストＩＤにおいて、所定割合以上のアーティストＩＤがある場合、このデータベースから当該アーティストＩＤに紐付けされたアーティストの関連画像を抽出して提示する。本実施例では所定割合を８０％と設定しており、利用者が、アーティストＩＤ「※※※※」に属するカラオケ楽曲の録音データを５曲、アーティストＩＤ「△△△△」に属するカラオケ楽曲の録音データを１曲書込指定した場合、アーティストＩＤ「※※※※」の割合が５／６で０．８３すなわち８３％となり、８０％以上であることから、アーティスト関連情報データベースが適応される。なお、適応されなかった場合には、汎用的な表示ラベル画像が提示される。
【００２２】
適応された場合には、（ウ）に示すように、データベースから当該アーティストＩＤに紐付けされたアーティストの関連画像を抽出した表示画面が提示される。この表示画面には、アーティスト名表示（ｄ５）と共に、アーティスト関連画像データベースに基づく各表示ラベルの種別に応じ、本実施例のアーティストでは、「Ａ」から「Ｄ」の４種のコラム（ｄ６）に対応して４種の表示ラベル用のアーティスト関連画像（ｄ７）が列記され、さらに、利用者が所望する表示ラベルを選択するためのラベル選択フラグ表示（ｄ８）も付帯されている。このラベル選択フラグ表示（ｄ８）には、操作入力処理手段をもって利用者が選択するとフラグが立ち、利用者はこれを確認した後、確定ボタン（図示省略）を押圧すると、ラベル付与指令手段から付与指令が発せられ、インクジェットプリンタ（表示ラベル付与手段）は、この付与指令に基づき、ＣＤ−Ｒに表示ラベルをプリントする。
【００２３】
本実施例では所定割合を８０％としたが、本発明ではこれに限定されず、任意の基準を設けることができる。ただし、あまり低い基準を設定すると、「アーティスト色」が薄れて好ましくない。反面、１００％すなわち利用者が書込指定したカラオケ楽曲が全て同一のアーティストのものである場合に限り、アーティスト関連情報データベースを適応させるのは好ましい。この条件であると、特定のアーティストが利用者好みのアーティストであると断定でき、より確実に利用者好みのアーティストの関連画像をでき、また、当該アーティスト専用のＣＤ−Ｒが作成できる。
【００２４】
上記実施例は、カラオケ演奏装置に対し、可搬型記録媒体への録音データ書込手段と表示ラベル付与手段が１対１に対応した形態であったが、本発明はこれに限定されない。例えば、図４に示すように、集中管理方式のカラオケ録音システムであっても構わない。
【００２５】
図４に示すように、本実施例では、カラオケ店舗内の各客室にカラオケ演奏装置（Ｐ）が設置され、これらのカラオケ演奏装置（Ｐ）には各種機能手段が内蔵されている。そして、各カラオケ演奏装置（Ｐ）は、店舗内ＬＡＮ（Ｌ）によって、録音データ書込機能と表示ラベル付与機能とを共有するＣＤ−Ｒレコーダプリンタ（ＲＰ）を付帯した集中管理用サーバ（Ｓ）に接続されている。各カラオケ演奏装置（Ｐ）では、それぞれに録音データが形成され、録音ファイルとして記録されている。集中管理用サーバ（Ｓ）は、どこのカラオケ演奏装置（Ｐ）からどんな録音データやアーティスト関連画像が転送されてきたのかを管理しながら、ＣＤ−Ｒレコーダプリンタ（ＲＰ）をもって、ＣＤ−Ｒへ録音データを書き込ませたり、表示ラベルをプリントさせたりする。なお、集中管理方式のカラオケ録音システムとしては、この他にも、例えば、複数台のＣＤ−Ｒレコーダプリンタと、それぞれのＣＤ−Ｒレコーダプリンタを制御するための複数の集中管理用サーバがある形態でもよいし、一台の集中管理用サーバに複数台のＣＤ−Ｒレコーダプリンタが接続される形態であってもよい。勿論、集中管理用サーバを介さず、ＣＤ−Ｒレコーダプリンタ自体に集中管理用サーバと同様の制御機能が組み込まれていても構わない。
【００２６】
以上、詳述したように、本発明のカラオケ録音システムによれば、利用者が書込指定したカラオケ楽曲が属するアーティストＩＤにおいて、所定割合以上のアーティストＩＤがある場合、アーティストの関連画像を表示ラベル用に蓄積したデータベースから、当該アーティストＩＤに紐付けされたアーティストの関連画像を抽出して提示し、その中から利用者が選択したものを表示ラベルとして可搬型記録媒体に付与することで、利用者に対して効率良く自動的に利用者好みのアーティストの関連画像を提示できると共に、利用者が所望する関連画像を容易に選択して可搬型記録媒体に付与できる。
【図面の簡単な説明】
【００２７】
【図１】本発明の一実施例におけるカラオケ録音システムのブロック構成図。
【図２】アーティスト関連画像の表示ラベルの選択までの概念的フロー図。
【図３】アーティスト関連画像管理テーブルの概略的構成図。
【図４】集中管理方式のカラオケ録音システムの構成図。
【符号の説明】
【００２８】
１  カラオケ録音システム
２  録音データ書込手段
９  中央制御手段
１０  ハードディスク
１１  ＲＡＭ
１６  録音データ記録手段
１７  音響入力インタフェイス
２３  アーティスト関連画像データベース
２４  アーティストＩＤデータ
２７  ラベル付与指令手段
２８  表示ラベル付与手段
ｄ１  各録音データの録音順の番号表示
ｄ２  各録音データに対応した曲名表示
ｄ３  アーティストＩＤ情報を含んだ楽曲ＩＤ表示
ｄ４  書き込みフラグ表示
ｄ５  アーティスト名表示
ｄ７  表示ラベル用アーティスト関連画像
ｄ８  ラベル選択フラグ表示
【図２】
2005242061.tif 000003
【図３】
2005242061.tif 000004
【図４】
2005242061.tif 000005
【図１】
2005242061.tif 000006